(57)【要約】【課題】素人でも安全かつ確実に蛇を捕まえることができる蛇捕獲具を提供する。【解決手段】蛇捕獲具１０の柄部１の一端に設けられた挟持体４は常時閉鎖方向に付勢され、かつ挟持片４ｂ，４ｃの少なくとも一方が鋸歯状の突起４ｄ，４ｅを有するので、うっかりミスで挟持体４に連結される操作杆２から手を放してしまったり、疲れて操作杆２を握持操作する手の力を緩めたりしても、挟持体４が開放されて挟持した蛇を逃がしてしまうことがない。【選択図】　　　　　図１
2004041045.tif 000002
【特許請求の範囲】
【請求項１】
柄部（１，１１）の一端に設けられた握部（１ａ，１１ａ）には、操作杆（２，１２）が付設されており、
前記柄部（１，１１）の他端には、第１の挟持片（４ｂ，１４ｂ）および第２の挟持片（４ｃ，１４ｃ）が対向することにより形成され、かつ前記第１の挟持片（４ｂ，１４ｂ）および／または前記第２の挟持片（４ｃ，１４ｃ）の挟持部分に鋸歯状の突起（４ｄ，４ｅ，１４ｄ，１４ｅ）を有する挟持体（４，１４）が設けられており、
前記挟持体（４，１４）は、付勢部材（４ａ，１４ａ）により常時閉鎖方向に付勢されるとともに前記操作杆（２，１２）と連結具（３，１３）を介して連結されており、前記操作杆（２，１２）の握持操作により付勢部材（４ａ，１４ａ）の付勢力に抗して開放されることを特徴とする蛇捕獲具。
【請求項２】
前記第１の挟持片（４ｂ）は、前記柄部（１）に所定角度（θ１）をもって固定されるとともに背面（４ｆ）が平坦状に形成されていることを特徴とする請求項１に記載の蛇捕獲具。
【請求項３】
前記第１の挟持片（１４ｂ）は、前記柄部（１１）に対する角度（θ２）を調整可能に前記柄部（１１）に支持されるとともに背面（１４ｆ）が平坦状に形成されていることを特徴とする請求項１に記載の蛇捕獲具。
【請求項４】
前記第１の挟持片（４ｂ，１４ｂ）の挟持部分の先端部には、傾斜部（４ｇ，１４ｇ）が形成されていることを特徴とする請求項２または３のいずれかに記載の蛇捕獲具。
【請求項５】
前記挟持片（４ｂ，４ｃ，１４ｂ，１４ｃ）には、前記挟持片（４ｂ，４ｃ，１４ｂ，１４ｃ）に装着されて挟持片の一部をなすアタッチメントが取り付け可能であることを特徴とする請求項１乃至４のいずれかに記載の蛇捕獲具。
【請求項６】
前記挟持体（４，１４）の後方には保護楯（５，１５）が設けられており、前記保護楯（５，１５）は透明板により形成されていることを特徴とする請求項１乃至５のいずれかに記載の蛇捕獲具。
【請求項７】
前記保護楯（５，１５）は、前記挟持体（４，１４）に対向する面に多数の有底小孔（５ｄ，１５ｄ）が形成されていることを特徴とする請求項６に記載の蛇捕獲具。
【請求項８】
前記保護楯（５，１５）は、前記柄部（１，１１）に沿うように倒伏可能であることを特徴とする請求項６または７のいずれかに記載の蛇捕獲具。
【請求項９】
前記保護楯（５，１５）は、取り外し可能であることを特徴とする請求項６乃至８のいずれかに記載の蛇捕獲具。
【発明の詳細な説明】
【０００１】
【発明の属する技術分野】
本発明は蛇捕獲具に関する。
【０００２】
【従来の技術】
蛇が多く生息している地域では、農作業中に蛇に出くわしたり、家のなかに蛇が侵入してきたりすることが頻繁にあるため、素人が蛇を駆除しなければならないことが多い。しかしながら、多くの人は蛇に触れることに大きな抵抗感があり、また蛇がマムシ等の毒を有するもので危険を伴うこともあり、離れた所から蛇を捕獲するための器具が種々案出されている。
【０００３】
そのような器具として、例えば、実開平２−９００７９号公報、実開平６−１１４７８号公報に記載される蛇捕獲具がある。これらはいずれも、長尺の柄部を有しており、柄部の一端には蛇を挟持するための挟持体が設けられており、他端には挟持体と連結され挟持体を開閉操作するための操作杆が設けられている。挟持体はバネで常時開放される方向に付勢されており、操作杆を握持することにより挟持体が閉鎖される。
【０００４】
蛇を捕まえるときには、挟持体の中に蛇を導きいれて、操作杆を握持することにより挟持体を閉鎖して蛇を挟持することができる。これらの器具は挟持体と操作杆が長尺の柄部で隔て、作業者が手等を蛇に噛まれたりする心配が殆ど無い。しかしながら、上記従来の蛇捕獲具には次のような問題点がある。
【０００５】
【発明が解決しようとする課題】
捕まえた蛇を処分する場合、叩いて殺したり、離れた場所で放したり、あるいは他人に処分してもらうため容器に入れたりするが、その間、蛇がすり抜けたりすることが無いよう挟持体を確実に閉鎖させておく必要がある。
【０００６】
しかし、上記従来の蛇捕獲具では、挟持体がバネで常時開放される方向に付勢されているため、うっかりミスで操作杆から手を放してしまったり、疲れて操作杆を握持する力を緩めてしまったりしたときに、挟持体が開放されて蛇に逃げられる危険性がある。
【０００７】
また、蛇を確実に捕まえるためには、蛇を刺激しないように挟持体を近づけて狙いをつけ、その後すばやく挟持体の中に蛇を導き入れる必要がある。しかし、上記従来の蛇捕獲具は長尺の柄部を採用しているため、作業者が挟持体を蛇に近づける途中で作業者の腕が疲れる等して振れてしまい、捕獲具の先端部（挟持体）が大きく動いて蛇を刺激してしまうことがある。
【０００８】
さらに、作業者は、蛇の居場所を見定めるために自然に顔を蛇に近づけがちであるが、毒蛇が飛ばした毒液がかかるおそれがある。
【０００９】
本発明は、斯かる実情に鑑み、素人でも安全かつ確実に蛇を捕まえることができる蛇捕獲具を提供しようとするものである。
【００１０】
【課題を解決するための手段】
請求項１の発明は、柄部（１，１１）の一端に設けられた握部（１ａ，１１ａ）には、操作杆（２，１２）が付設されており、
前記柄部（１，１１）の他端には、第１の挟持片（４ｂ，１４ｂ）および第２の挟持片（４ｃ，１４ｃ）が対向することにより形成され、かつ前記第１の挟持片（４ｂ，１４ｂ）および／または前記第２の挟持片（４ｃ，１４ｃ）の挟持部分に鋸歯状の突起（４ｄ，４ｅ，１４ｄ，１４ｅ）を有する挟持体（４，１４）が設けられており、
前記挟持体（４，１４）は、付勢部材（４ａ，１４ａ）により常時閉鎖方向に付勢されるとともに前記操作杆（２，１２）と連結具（３，１３）を介して連結されており、前記操作杆（２，１２）の握持操作により付勢部材（４ａ，１４ａ）の付勢力に抗して開放されることを特徴とする蛇捕獲具を提供する。
【００１１】
請求項１の発明に係る蛇捕獲具によれば、以下のような作用が得られる。前記挟持体は常時閉鎖方向に付勢され、かつ前記挟持片の少なくとも一方が前記鋸歯状の突起を有するので、前記操作杆を握持する手の力を緩める等しても、挟持した蛇を逃がしたりすることがない。
【００１２】
請求項２の発明は、前記第１の挟持片（４ｂ）は、前記柄部（１）に所定角度（θ１）をもって固定されるとともに背面（４ｆ）が平坦状に形成されていることを特徴とする請求項１に記載の蛇捕獲具を提供する。
【００１３】
請求項２の発明に係る蛇捕獲具によれば、請求項１の発明に係る蛇捕獲具が奏する作用に加えて、以下のような作用が得られる。前記第一の挟持片の背面が平坦状に形成されているので、前記挟持具を地面上に置いた状態で滑らせながら楽に、かつ蛇を刺激しないように蛇に近づけることができる。また、前記第１の挟持片と前記柄部とは所定角度がつけられているので、作業者は前記挟持体を地面上で滑らせる場合に、前記挟持体および蛇を上方から確実に目視することができるものである。
【００１４】
請求項３の発明は、前記第１の挟持片（１４ｂ）は、前記柄部（１１）に対する角度（θ２）を調整可能に前記柄部（１１）に支持されるとともに背面（１４ｆ）が平坦状に形成されていることを特徴とする請求項１に記載の蛇捕獲具を提供する。
【００１５】
請求項３の発明に係る蛇捕獲具によれば、請求項１の発明に係る蛇捕獲具が奏する作用に加えて、以下のような作用が得られる。前記第一の挟持片の背面が平坦状に形成されているので、前記挟持具を地面上に置いた状態で滑らせながら楽に、かつ蛇を刺激しないように蛇に近づけることができる。また、作業者は前記挟持体を地面上で滑らせる場合に、地面の傾斜状況や自分の身長に合わせて、前記挟持体および蛇を目視しやすく、かつ蛇を捕まえやすいように前記柄部の角度を調整できるものである。
【００１６】
請求項４の発明は、前記第１の挟持片（４ｂ，１４ｂ）の挟持部分の先端部には、傾斜部（４ｇ，１４ｇ）が形成されていることを特徴とする請求項２または３のいずれかに記載の蛇捕獲具を提供する。
【００１７】
請求項４の発明に係る蛇捕獲具によれば、請求項２または３の発明に係る蛇捕獲具が奏する作用に加えて、以下のような作用が得られる。前記第１挟持片の先端部に傾斜部を形成したので、蛇と地面の間に前記第１挟持片を滑り込ませることにより、蛇を容易に前記挟持体の中に容易に導き入れることができるものである。
【００１８】
請求項５の発明は、前記挟持片（４ｂ，４ｃ，１４ｂ，１４ｃ）には、前記挟持片（４ｂ，４ｃ，１４ｂ，１４ｃ）に装着されて挟持片の一部をなすアタッチメントが取り付け可能であることを特徴とする請求項１乃至４のいずれかに記載の蛇捕獲具を提供する。
【００１９】
請求項５の発明に係る蛇捕獲具によれば、請求項１乃至４の発明に係る蛇捕獲具が奏する作用に加えて、以下のような作用が得られる。アタッチメントにより挟持片の形状を変更できるので、挟持片の形状が異なる蛇捕獲具を準備することなく各状況に対応することができる。
【００２０】
請求項６の発明は、前記挟持体（４，１４）の後方には保護楯（５，１５）が設けられており、前記保護楯（５，１５）は透明板により形成されていることを特徴とする請求項１乃至５のいずれかに記載の蛇捕獲具を提供する。
【００２１】
請求項６の発明に係る蛇捕獲具によれば、請求項１乃至５の発明に係る蛇捕獲具が奏する作用に加えて、以下のような作用が得られる。前記挟持体の後方に前記保護楯を設けたので、前記挟持体の方に、すなわち蛇の居る方に顔を近づけても、顔に毒液を吐きかけられる等の危険性を軽減することができる。また、この保護楯は透明板で形成されているので視界を遮られたりすることが無い。
【００２２】
請求項７の発明は、前記保護楯（５，１５）は、前記挟持体（４，１４）に対向する面に多数の有底小孔（５ｄ，１５ｄ）が形成されていることを特徴とする請求項６に記載の蛇捕獲具を提供する。
【００２３】
請求項７の発明に係る蛇捕獲具によれば、請求項６の発明に係る蛇捕獲具が奏する作用に加えて、以下のような作用が得られる。マムシ等の毒蛇は頭部の先端が尖っているため、作業者の方に向かってきたときに前記保護楯で受けるようにすれば、突進してきた蛇の頭部が前記有底小孔に引っ掛かって、蛇の動きが一時的に封じられる。その間に作業者は体勢を整えたり、あるいは逃げたりすることができる。
【００２４】
請求項８の発明は、前記保護楯（５，１５）は、前記柄部（１，１１）に沿うように倒伏可能であることを特徴とする請求項６または７のいずれかに記載の蛇捕獲具を提供する。
【００２５】
請求項８の発明に係る蛇捕獲具によれば、請求項６または７の発明に係る蛇捕獲具が奏する作用に加えて、以下のような作用が得られる。蛇が隙間の奥まった場所に隠れている等、毒液を吐きかけられるおそれが少なく、前記保護楯が邪魔になって挟持体を蛇に近づけ難い場合に、前記保護楯を前記柄部の側に倒伏させて対応できる。
【００２６】
請求項９の発明は、前記保護楯（５，１５）は、取り外し可能であることを特徴とする請求項６乃至８のいずれかに記載の蛇捕獲具を提供する。
【００２７】
請求項９の発明に係る蛇捕獲具によれば、請求項６乃至８の発明に係る蛇捕獲具が奏する作用に加えて、以下のような作用が得られる。前記保護楯が邪魔になって挟持体を蛇に近づけ難い場合に、前記保護楯を取り払うことができる。
【００２８】
【発明の実施の形態】
以下、本発明の実施の形態を、添付図面を参照しながら説明する。
【００２９】
図１〜図４は本発明の実施形態を示したものであって、図１は本実施形態に係る蛇捕獲具１０の全体図、図２は前記蛇捕獲具１０の挟持体４の断面図（図１のＡ−Ａ断面図）、図３は前記蛇捕獲具１０の保護楯５の正面図（図１のＢ視図）、図４は前記保護楯５の断面図（図３のＣ−Ｃ断面図）である。
【００３０】
本実施形態の蛇捕獲具１０は、柄部１、前記柄部１の一端（上端）に付設される操作杆２、および前記柄部１の他端（下端）に設けられる挟持体４を有してなる。
【００３１】
前記柄部１は，長尺のアルミニウム製パイプで軽量に形成されており、上端には握部１ａを形成するラバー製グリップが取り付けられている。前記柄部１は、アルミニウム以外の金属、樹脂、グラスファイバー等でも形成することができ、これらは中空に限らず中実材であっても良い。
【００３２】
前記握部１ａには前記操作杆２が付設される。前記操作杆２は、前記柄部１に巻きつけられるバンド部２ａで固定される支持部２ｂと、前記支持部２ｂに対して揺動可能に支持されるレバー部２ｃからなる。前記操作杆２は、前記レバー部２ｃが前記握部１ａとともに掌で握持されることにより矢印Ｕの方向に操作されて、前記レバー部２ｃに連結される連結具３としてのワイヤーを引っ張る。
【００３３】
前記ワイヤー３は、前記レバー部２ｃから前記柄部１の外面に沿うように配索されており、前記柄部１の中途部に設けられた穴１ｂから前記柄部１の内部に挿入されて、前記柄部１の下端から突出して前記柄部１の下端に設けられた前記挟持体４に連結される。
【００３４】
前記挟持体４は、連結片４ｈを介して前記柄部１に固定される第１の挟持片４ｂと、前記第１の挟持片４ｂの上面に対向するように、かつ前記第１の挟持片４ｂに対して上下に揺動自在となるように連結片４ｈに支持される第２の挟持片４ｃとが組み合わされることにより形成される。
【００３５】
図２に示されるように、前記第１の挟持片４ｂおよび前記第２の挟持片４ｃは、ともに断面コの字形のアーム部材であって、前記コの字形の両側壁部分４ｉ，４ｊにはそれぞれ鋸歯状の突起４ｄ，４ｅを多数有しており、前記鋸歯状の突起４ｄ，４ｅが対向することによって前記挟持体４の挟持部分を形成する。前記第２の挟持片４ｃは前記第１の挟持片４ｂよりも幅狭に形成されているため、前記突起４ｅは前記突起４ｄの内側に入り込むようになっているが、両者は噛み合わされるようになっていても良い。
【００３６】
前記鋸歯状の突起４ｄ，４ｅは、前記挟持片４ｂ，４ｃの自由端側の傾斜が緩やかに形成されている一方、固定端側の傾斜が急に形成されている。したがって、前記挟持体４は、挟持部分に挟持対象の蛇を導き入れ易い一方、抜け難い構造となっている。前記鋸歯状の突起は第１の挟持片４ｂまたは第２の挟持片４ｃのいずれか一方にのみ設けられているだけでも良い。
【００３７】
前記第１の挟持片４ｂの背面（底面）４ｆは平坦状に形成されるとともに、前記柄部１に対して所定の交差角度θ１をなしている。交差角度θ１は前記柄部の長さ等によって作業者が扱いやすい角度に設定されるが、本実施形態では約４５度に設定されている。このように角度を設けることにより作業者は立ったままで前記挟持体４を地面にあてがい滑らかに前後摺動させることができる。
【００３８】
前記第１の挟持片４ｂの挟持部分の先端部（自由端側）には、傾斜部４ｇが形成されており、挟持対象物の下に挟持片４ｂを滑り込ませることにより、挟持対象物を前記挟持体４の挟持部分に導き入れやすいようになっている。
【００３９】
前記第２の挟持片４ｃの支持部には付勢部材４ａとしてのバネが配設されており、前記第１の挟持片４ｂに対して前記第２の挟持片４ｃを押し当てるように付勢している。すなわち、前記挟持体４が常時閉鎖方向に付勢されるようになっている。
【００４０】
また、前記第２の挟持片４ｃには前記ワイヤー３が連結されており、前記ワイヤー３を引っ張ることにより前記第１の挟持片４ｂから前記第２の挟持片４ｃを引き離すように構成されている。すなわち、前記挟持体４が前記操作杆２の握持操作（矢印Ｕ方向の操作）によりバネ４ａの付勢力に抗して開放される（矢印Ｗ）。
【００４１】
前記挟持体４の後方には、透明板５ａ，５ｂで形成される保護楯５が設けられている。前記保護楯５は前記柄部１に支持部５ｄで揺動自在に支持されており、前記支持部５ｄに配設されたバネ（不図示）に付勢されて、図１に実線で示されるように前記握部１ａと前記挟持体４を仕切るように起立した状態で保持されている。また、前記保護楯５は、前記柄部１側に押すことにより前記柄部１に沿うように倒伏させることができ、前記柄部１に設けられた係止部５ｅにより図１に一点鎖線で示されるように倒伏状態に保持できるようになっている。
【００４２】
前記保護楯５は、前記挟持体４に対向する面、すなわち蛇に対向する面に多数の有底小孔５ｄが形成されている。この有底小孔５ｄを簡単に形成するために、前記保護楯５は多数の小孔５ｅが穿設されている透明板５ａと孔を有しない透明板５ｂが重ね合わされて、その周囲を縁取材５ｃで一体的に固定されることにより形成される。
【００４３】
次に、上記実施形態に係る蛇捕獲具の使用方法を説明する。地面上を這う蛇を発見したときには、前記保護楯５を起立させた状態で、握部１ａを把持して前記第１の挟持片の前記底面４ｆを地面に沿って摺動させながら、前記挟持体４を蛇に接近させる。このとき前記操作杆２の前記レバー部２ｃを握持操作することにより前記挟持体４を開放させておき、タイミングを見計らって、前記第１の挟持片４ｂを蛇と地面の間に滑り込ませるように挿入する。蛇が狭いところに逃げ込みそうな場合には、別途に準備した棒などで押さえ込むようにして予め蛇の動きを止めておけば、より確実に捕獲することができる。蛇が毒をもっている可能性がある場合は、毒液を吐きかけられないように前記保護楯５を通して蛇を目視するようにすると良い。
【００４４】
前記第１の挟持片４ｂの先端部には、傾斜部４ｇが付けられているため、蛇の体は前記第１の挟持片４ｂの上に乗り上げて、前記挟持体４の挟持部分に容易に導き入れられる。ここで、操作杆２を握持する掌の力を緩めることにより前記挟持体４が付勢部材４ａの付勢力により閉鎖されて、蛇を捕獲することができる。前記挟持体４は常時閉鎖方向に付勢されており、かつ前記鋸歯状の突起４ｄ，４ｅを有するので、蛇が容易にすり抜けてしまうことはない。
【００４５】
捕獲しようとした蛇が作業者の方に向かってきたときは、前記保護楯５で受けるようにすれば、前記有底小孔５ｄに尖った蛇の頭部が引っ掛って、蛇の動きを一時的に封じることができる。
【００４６】
本実施形態では、保護楯５を設けたが、作業者が保護具を装着する等で毒液や噛み付きへの対策を講じている場合には必ずしも設けなくても良い。また、前記保護楯５は扇形状に形成されていたが、他の形状のものを採用しても良い。さらに、前記保護楯５は前記柄部１に沿うように倒伏可能な構造としたが、取り外し可能な構造としても良い。
【００４７】
本実施形態では、挟持片４ｂ，４ｃ，１４ｂ，１４ｃとして直線状に延びるアーム部材を採用したが、これに限らず蛇の大きさ、蛇を挟持する向きあるいは作業スペース等の状況に合わせて他の形状のものを採用しても良い。ただし、すべての状況に応じて挟持片の形状が異なる蛇捕獲具を準備することは難しいため、標準装着されている挟持片に装着されて挟持片の一部をなすアタッチメントにより挟持片の形状を適宜変更できるようにしても良い。
【００４８】
図７は、第１の挟持片４ｂの先端部に対して幅方向に延びるように装着されるアタッチメント６ｂを示したものである。前記アタッチメント６ｂは、断面コの字形アーム部材の両側壁６ｉに鋸歯状の突起６ｄが形成されたものであり、その中途部に切欠き６ｆが設けられている。前記切欠き６ｆに挟持片４ｂを係合させてネジで固定することにより上面視Ｔ字形の挟持片が形成される。
【００４９】
アタッチメント６ｂを取り付けることにより、蛇が作業者に対して縦方向に横たわっている場合や、蛇が横方向に逃げた場合への対応がし易くなる。なお、アタッチメント６ｂの両端部には傾斜部６ｇが設けられているので、蛇捕獲具を横方向に動かすことで蛇をすくい上げるように挟持片の間に導き入れることができる。
【００５０】
なお、図示されていないが、第１の挟持片４ｂの上面側に対向する第２の挟持片４ｃの先端にもアタッチメント６ｂと上下対称に形成されるアタッチメント６ｃが装着されており、両アタッチメントにより上面視でＴ字形の挟持体が構成される。
【００５１】
次に、他の実施形態について説明する。図５は他の実施形態に係る蛇捕獲具２０の全体を示す図であり、図６は前記蛇捕獲具２０の挟持体１４の断面図（図５のＤ−Ｄ断面図）である。
【００５２】
蛇捕獲具２０の柄部１１の一端（上端）には握部１１ａが形成され、前記握部１ａには、支持部１２ｂに対して揺動可能に支持されるレバー部１２ｃを有する前記操作杆２が付設されている。前記レバー部１２ｃは掌で握持操作されて連結されるワイヤー１３を引っ張る。
【００５３】
前記挟持体１４は、前記柄部１１の他端（下端）に支持される第１の挟持片１４ｂと、前記第１の挟持片１４ｂの上面に対向するように、かつ前記第１の挟持片１４ｂに対して上下に揺動自在となるように固定される第２の挟持片１４ｃとで形成される。図６に示されるように、前記第１の挟持片１４ｂは断面コの字形、前記第２の挟持片１４ｃ断面Ｉ字形のアーム部材であって、両者が対向する部分にそれぞれ鋸歯状の突起１４ｄ，１４ｅを多数有して、前記挟持体１４の挟持部分を形成する。
【００５４】
前記鋸歯状の突起１４ｄ，１４ｅは、前記挟持片１４ｂ，１４ｃの自由端側の傾斜は緩やかに、固定端側の傾斜は急に形成されている。したがって、前記挟持体１４は、挟持部分に挟持対象物を導き入れ易く、抜け難い構造となっている。前記鋸歯状の突起は挟持片１４ｂ，１４ｃのいずれか一方にのみ設けられているだけでも良い。
【００５５】
また、前記第１の挟持片１４ｂの挟持部分の先端部（自由端側）には、傾斜部１４ｇが形成され、挟持対象物を前記挟持体１４に導き入れやすくなっている。
【００５６】
前記第１の挟持片１４ｂの背面（底面）１４ｆは平坦状に形成され、地面等にあてがった状態で滑らかに摺動可能となっている。前記第２の挟持片１４ｃの支持部に配設される付勢部材１４ａにより前記第１の挟持片１４ｂに前記第２の挟持片１４ｃが押し当てられる。すなわち、前記挟持体４が常時閉鎖方向に付勢される。
【００５７】
前記柄部１１は前記第１の挟持片４ｂにピン１１ｂで回動自在に支持されており、前記第１の挟持片４ｂに連結されるブラケット１４ｋに長穴１４ｌを介して蝶ネジ１４ｍで固定されるようになっている。したがって、前記柄部１１に対する前記第１の挟持片１４ｂの底面に対する角度θ２は前記蝶ネジ１４ｍを緩めて、前記柄部１１を揺動させる（矢印Ｚ）ことにより調整可能である。
【００５８】
前記第２の挟持片１４ｃには前記ワイヤー３が連結されており、前記操作杆２の握持操作により前記挟持体４がバネ４ａの付勢力に抗して開放される。
【００５９】
前記挟持体１４の後方には倒伏可能な保護楯１５が設けられているが、前記保護楯５と同構造であり説明を省略する。なお、保護楯１５は倒伏可能な構造とする他に、取り外し可能な構造としても良く、また必ずしも設けなくても良い。
【００６０】
前記挟持体１４は、状況に応じて他の形状のものを採用したり、アタッチメントにより挟持片の形状を適宜変更できるようにしたりできることは先に記載した蛇捕獲具１０の場合と同様である。
【００６１】
この蛇捕獲具２０の使用方法は蛇捕獲具１０と基本的に同じであるが、こちらは地面の傾斜状況や自分の身長に合わせて、蛇を目視しやすく、あるいは捕まえやすい最適状態となるように前記柄部１１と挟持体１４の交差角度が調整可能である点が異なる。
【００６２】
尚、本発明の蛇捕獲具は、上記した実施の形態に限定されるものではなく、本発明の要旨を逸脱しない範囲内において種々変更を加え得ることは勿論である。
【００６３】
【発明の効果】
以上、説明したように本発明の請求項１〜９に記載の蛇捕獲具によれば、前記挟持体は常時閉鎖方向に付勢され、かつ前記挟持片の少なくとも一方が前記鋸歯状の突起を有するので、前記操作杆を握持する手の力を緩める等しても、蛇が逃げ出したりする心配がないという優れた効果を奏し得る。
【図面の簡単な説明】
【図１】本発明の実施形態に係る蛇捕獲具１０の全体図である。
【図２】図１のＡ−Ａ断面図である。
【図３】図１（図５）のＢ視図である。
【図４】図３のＣ−Ｃ断面図である。
【図５】蛇捕獲具２０の全体図である。
【図６】図５のＤ−Ｄ断面図である。
【図７】挟持片に取り付けられるアタッチメントを示す図である。
【符号の説明】
１　　柄部
１ａ　　握部
２　　操作杆
３　　連結具（ワイヤー）
４　　挟持体
４ａ　　付勢部材（バネ）
４ｂ　　第１の挟持片
４ｃ　第２の挟持片
４ｄ，４ｅ　　突起
４ｇ　　傾斜部
５　　保護楯
５ａ，５ｂ　　透明板
５ｄ　　有底小孔
１０　　蛇捕獲具
１１　　　柄部
１１ａ　握部
１２　　操作杆
１３　　　連結具（ワイヤー）
１４　　　挟持体
１４ａ　付勢部材（バネ）
１４ｂ　第１の挟持片
１４ｃ　第２の挟持片
１４ｄ，１４ｅ　　突起
１４ｆ　背面（底面）
１４ｇ　傾斜部
１５　　　保護楯
２０　　　蛇捕獲具
【図１】
2004041045.tif 000003
【図２】
2004041045.tif 000004
【図３】
2004041045.tif 000005
【図４】
2004041045.tif 000006
【図５】
2004041045.tif 000007
【図６】
2004041045.tif 000008
【図７】
2004041045.tif 000009
【手続補正書】
【提出日】平成14年11月15日(2002.11.15)
【手続補正１】
【補正対象書類名】明細書
【補正対象項目名】全文
【補正方法】変更
【補正の内容】
【発明の詳細な説明】
【特許請求の範囲】
【請求項１】柄部（１）の一端に設けられた握部（１ａ）には、操作杆（２）が付設されており、
前記柄部（１）の他端には、第１の挟持片（４ｂ）および第２の挟持片（４ｃ）が対向することにより形成され、かつ前記第１の挟持片（４ｂ）および／または前記第２の挟持片（４ｃ）の挟持部分に鋸歯状の突起（４ｄ，４ｅ）を有する挟持体（４）が設けられており、
前記第１の挟持片（４ｂ）は、前記柄部（１）に所定角度（θ１）をもって固定されるとともに背面（４ｆ）が平坦状に形成されており、
前記第１の挟持片（４ｂ）の挟持部分の先端部には、傾斜部（４ｇ）が形成されており、
　前記挟持体（４）は、付勢部材（４ａ）により常時閉鎖方向に付勢されるとともに前記操作杆（２）と連結具（３）を介して連結されており、前記操作杆（２）の握持操作により付勢部材（４ａ）の付勢力に抗して開放されることを特徴とする蛇捕獲具。
【請求項２】柄部（１１）の一端に設けられた握部（１１ａ）には、操作杆（１２）が付設されており、
前記柄部（１１）の他端には、第１の挟持片（１４ｂ）および第２の挟持片（１４ｃ）が対向することにより形成され、かつ前記第１の挟持片（１４ｂ）および／または前記第２の挟持片（１４ｃ）の挟持部分に鋸歯状の突起（１４ｄ，１４ｅ）を有する挟持体（１４）が設けられており、
前記第１の挟持片（１４ｂ）は、前記柄部（１１）に対する角度（θ２）を調整可能に前記柄部（１１）に支持されるとともに背面（１４ｆ）が平坦状に形成されており、
前記第１の挟持片（１４ｂ）の挟持部分の先端部には、傾斜部（１４ｇ）が形成されており、
　前記挟持体（１４）は、付勢部材（１４ａ）により常時閉鎖方向に付勢されるとともに前記操作杆（１２）と連結具（１３）を介して連結されており、前記操作杆（１２）の握持操作により付勢部材（１４ａ）の付勢力に抗して開放されることを特徴とする蛇捕獲具。
【請求項３】前記挟持体（４，１４）の後方には保護楯（５，１５）が設けられており、前記保護楯（５，１５）は透明板により形成されていることを特徴とする請求項１または２に記載の蛇捕獲具。
【請求項４】前記保護楯（５，１５）は、前記挟持体（４，１４）に対向する面に多数の有底小孔（５ｄ，１５ｄ）が形成されていることを特徴とする請求項３に記載の蛇捕獲具。
【請求項５】前記保護楯（５，１５）は、前記柄部（１，１１）に沿うように倒伏可能であることを特徴とする請求項３または４のいずれかに記載の蛇捕獲具。
【請求項６】前記保護楯（５，１５）は、取り外し可能であることを特徴とする請求項３乃至５のいずれかに記載の蛇捕獲具。
【発明の詳細な説明】
【０００１】
【発明の属する技術分野】
本発明は蛇捕獲具に関する。
【０００２】
【従来の技術】
蛇が多く生息している地域では、農作業中に蛇に出くわしたり、家のなかに蛇が侵入してきたりすることが頻繁にあるため、素人が蛇を駆除しなければならないことが多い。しかしながら、多くの人は蛇に触れることに大きな抵抗感があり、また蛇がマムシ等の毒を有するもので危険を伴うこともあり、離れた所から蛇を捕獲するための器具が種々案出されている。
【０００３】
そのような器具として、例えば、実開平２−９００７９号公報、実開平６−１１４７８号公報に記載される蛇捕獲具がある。これらはいずれも、長尺の柄部を有しており、柄部の一端には蛇を挟持するための挟持体が設けられており、他端には挟持体と連結され挟持体を開閉操作するための操作杆が設けられている。挟持体はバネで常時開放される方向に付勢されており、操作杆を握持することにより挟持体が閉鎖される。
【０００４】
蛇を捕まえるときには、挟持体の中に蛇を導きいれて、操作杆を握持することにより挟持体を閉鎖して蛇を挟持することができる。これらの器具は挟持体と操作杆が長尺の柄部で隔て、作業者が手等を蛇に噛まれたりする心配が殆ど無い。しかしながら、上記従来の蛇捕獲具には次のような問題点がある。
【０００５】
【発明が解決しようとする課題】
捕まえた蛇を処分する場合、叩いて殺したり、離れた場所で放したり、あるいは他人に処分してもらうため容器に入れたりするが、その間、蛇がすり抜けたりすることが無いよう挟持体を確実に閉鎖させておく必要がある。
【０００６】
しかし、上記従来の蛇捕獲具では、挟持体がバネで常時開放される方向に付勢されているため、うっかりミスで操作杆から手を放してしまったり、疲れて操作杆を握持する力を緩めてしまったりしたときに、挟持体が開放されて蛇に逃げられる危険性がある。
【０００７】
また、蛇を確実に捕まえるためには、蛇を刺激しないように挟持体を近づけて狙いをつけ、その後すばやく挟持体の中に蛇を導き入れる必要がある。しかし、上記従来の蛇捕獲具は長尺の柄部を採用しているため、作業者が挟持体を蛇に近づける途中で作業者の腕が疲れる等して振れてしまい、捕獲具の先端部（挟持体）が大きく動いて蛇を刺激してしまうことがある。
【０００８】
さらに、作業者は、蛇の居場所を見定めるために自然に顔を蛇に近づけがちであるが、毒蛇が飛ばした毒液がかかるおそれがある。
【０００９】
本発明は、斯かる実情に鑑み、素人でも安全かつ確実に蛇を捕まえることができる蛇捕獲具を提供しようとするものである。
【００１０】
【課題を解決するための手段】
請求項１の発明は、柄部（１）の一端に設けられた握部（１ａ）には、操作杆（２）が付設されており、
前記柄部（１）の他端には、第１の挟持片（４ｂ）および第２の挟持片（４ｃ）が対向することにより形成され、かつ前記第１の挟持片（４ｂ）および／または前記第２の挟持片（４ｃ）の挟持部分に鋸歯状の突起（４ｄ，４ｅ）を有する挟持体（４）が設けられており、
前記第１の挟持片（４ｂ）は、前記柄部（１）に所定角度（θ１）をもって固定されるとともに背面（４ｆ）が平坦状に形成されており、
前記第１の挟持片（４ｂ）の挟持部分の先端部には、傾斜部（４ｇ）が形成されており、
　前記挟持体（４）は、付勢部材（４ａ）により常時閉鎖方向に付勢されるとともに前記操作杆（２）と連結具（３）を介して連結されており、前記操作杆（２）の握持操作により付勢部材（４ａ）の付勢力に抗して開放されることを特徴とする蛇捕獲具を提供する。
【００１１】
請求項１の発明に係る蛇捕獲具によれば、以下のような作用が得られる。前記挟持体は常時閉鎖方向に付勢され、かつ前記挟持片の少なくとも一方が前記鋸歯状の突起を有するので、前記操作杆を握持する手の力を緩める等しても、挟持した蛇を逃がしたりすることがない。そのうえ、前記第一の挟持片の背面が平坦状に形成されているので、前記挟持具を地面上に置いた状態で滑らせながら楽に、かつ蛇を刺激しないように蛇に近づけることができる。また、前記第１の挟持片と前記柄部とは所定角度がつけられているので、作業者は前記挟持体を地面上で滑らせる場合に、前記挟持体および蛇を上方から確実に目視することができるものである。さらに、前記第１挟持片の先端部に傾斜部を形成したので、蛇と地面の間に前記第１挟持片を滑り込ませることにより、蛇を容易に前記挟持体の中に導き入れることができるものである。
【００１２】
請求項２の発明は、柄部（１１）の一端に設けられた握部（１１ａ）には、操作杆（１２）が付設されており、
前記柄部（１１）の他端には、第１の挟持片（１４ｂ）および第２の挟持片（１４ｃ）が対向することにより形成され、かつ前記第１の挟持片（１４ｂ）および／または前記第２の挟持片（１４ｃ）の挟持部分に鋸歯状の突起（１４ｄ，１４ｅ）を有する挟持体（１４）が設けられており、
前記第１の挟持片（１４ｂ）は、前記柄部（１１）に対する角度（θ２）を調整可能に前記柄部（１１）に支持されるとともに背面（１４ｆ）が平坦状に形成されており、
前記第１の挟持片（１４ｂ）の挟持部分の先端部には、傾斜部（１４ｇ）が形成されており、
　前記挟持体（１４）は、付勢部材（１４ａ）により常時閉鎖方向に付勢されるとともに前記操作杆（１２）と連結具（１３）を介して連結されており、前記操作杆（１２）の握持操作により付勢部材（１４ａ）の付勢力に抗して開放されることを特徴とする蛇捕獲具を提供する。
【００１３】
請求項２の発明に係る蛇捕獲具によれば、以下のような作用が得られる。前記挟持体は常時閉鎖方向に付勢され、かつ前記挟持片の少なくとも一方が前記鋸歯状の突起を有するので、前記操作杆を握持する手の力を緩める等しても、挟持した蛇を逃がしたりすることがない。そのうえ、前記第一の挟持片の背面が平坦状に形成されているので、前記挟持具を地面上に置いた状態で滑らせながら楽に、かつ蛇を刺激しないように蛇に近づけることができる。また、作業者は前記挟持体を地面上で滑らせる場合に、地面の傾斜状況や自分の身長に合わせて、前記挟持体および蛇を目視しやすく、かつ蛇を捕まえやすいように前記柄部の角度を調整できるものである。さらに、前記第１挟持片の先端部に傾斜部を形成したので、蛇と地面の間に前記第１挟持片を滑り込ませることにより、蛇を容易に前記挟持体の中に導き入れることができるものである。
【００１４】
請求項３の発明は、前記挟持体（４，１４）の後方には保護楯（５，１５）が設けられており、前記保護楯（５，１５）は透明板により形成されていることを特徴とする請求項１または２に記載の蛇捕獲具を提供する。
【００１５】
請求項３の発明に係る蛇捕獲具によれば、請求項１または２の発明に係る蛇捕獲具が奏する作用に加えて、以下のような作用が得られる。前記挟持体の後方に前記保護楯を設けたので、前記挟持体の方に、すなわち蛇の居る方に顔を近づけても、顔に毒液を吐きかけられる等の危険性を軽減することができる。また、この保護楯は透明板で形成されているので視界を遮られたりすることが無い。
【００１６】
請求項４の発明は、前記保護楯（５，１５）は、前記挟持体（４，１４）に対向する面に多数の有底小孔（５ｄ，１５ｄ）が形成されていることを特徴とする請求項３に記載の蛇捕獲具を提供する。
【００１７】
請求項４の発明に係る蛇捕獲具によれば、請求項３の発明に係る蛇捕獲具が奏する作用に加えて、以下のような作用が得られる。マムシ等の毒蛇は頭部の先端が尖っているため、作業者の方に向かってきたときに前記保護楯で受けるようにすれば、突進してきた蛇の頭部が前記有底小孔に引っ掛かって、蛇の動きが一時的に封じられる。その間に作業者は体勢を整えたり、あるいは逃げたりすることができる。
【００１８】
請求項５の発明は、前記保護楯（５，１５）は、前記柄部（１，１１）に沿うように倒伏可能であることを特徴とする請求項３または４のいずれかに記載の蛇捕獲具を提供する。
【００１９】
請求項５の発明に係る蛇捕獲具によれば、請求項３または４の発明に係る蛇捕獲具が奏する作用に加えて、以下のような作用が得られる。蛇が隙間の奥まった場所に隠れている等、毒液を吐きかけられるおそれが少なく、前記保護楯が邪魔になって挟持体を蛇に近づけ難い場合に、前記保護楯を前記柄部の側に倒伏させて対応できる。
【００２０】
請求項６の発明は、前記保護楯（５，１５）は、取り外し可能であることを特徴とする請求項３乃至５のいずれかに記載の蛇捕獲具を提供する。
【００２１】
請求項６の発明に係る蛇捕獲具によれば、請求項３乃至５の発明に係る蛇捕獲具が奏する作用に加えて、以下のような作用が得られる。前記保護楯が邪魔になって挟持体を蛇に近づけ難い場合に、前記保護楯を取り払うことができる。
【００２２】
【発明の実施の形態】
以下、本発明の実施の形態を、添付図面を参照しながら説明する。
【００２３】
図１〜図４は本発明の実施形態を示したものであって、図１は本実施形態に係る蛇捕獲具１０の全体図、図２は前記蛇捕獲具１０の挟持体４の断面図（図１のＡ−Ａ断面図）、図３は前記蛇捕獲具１０の保護楯５の正面図（図１のＢ視図）、図４は前記保護楯５の断面図（図３のＣ−Ｃ断面図）である。
【００２４】
本実施形態の蛇捕獲具１０は、柄部１、前記柄部１の一端（上端）に付設される操作杆２、および前記柄部１の他端（下端）に設けられる挟持体４を有してなる。
【００２５】
前記柄部１は，長尺のアルミニウム製パイプで軽量に形成されており、上端には握部１ａを形成するラバー製グリップが取り付けられている。前記柄部１は、アルミニウム以外の金属、樹脂、グラスファイバー等でも形成することができ、これらは中空に限らず中実材であっても良い。
【００２６】
前記握部１ａには前記操作杆２が付設される。前記操作杆２は、前記柄部１に巻きつけられるバンド部２ａで固定される支持部２ｂと、前記支持部２ｂに対して揺動可能に支持されるレバー部２ｃからなる。前記操作杆２は、前記レバー部２ｃが前記握部１ａとともに掌で握持されることにより矢印Ｕの方向に操作されて、前記レバー部２ｃに連結される連結具３としてのワイヤーを引っ張る。
【００２７】
前記ワイヤー３は、前記レバー部２ｃから前記柄部１の外面に沿うように配索されており、前記柄部１の中途部に設けられた穴１ｂから前記柄部１の内部に挿入されて、前記柄部１の下端から突出して前記柄部１の下端に設けられた前記挟持体４に連結される。
【００２８】
前記挟持体４は、連結片４ｈを介して前記柄部１に固定される第１の挟持片４ｂと、前記第１の挟持片４ｂの上面に対向するように、かつ前記第１の挟持片４ｂに対して上下に揺動自在となるように連結片４ｈに支持される第２の挟持片４ｃとが組み合わされることにより形成される。
【００２９】
図２に示されるように、前記第１の挟持片４ｂおよび前記第２の挟持片４ｃは、ともに断面コの字形のアーム部材であって、前記コの字形の両側壁部分４ｉ，４ｊにはそれぞれ鋸歯状の突起４ｄ，４ｅを多数有しており、前記鋸歯状の突起４ｄ，４ｅが対向することによって前記挟持体４の挟持部分を形成する。前記第２の挟持片４ｃは前記第１の挟持片４ｂよりも幅狭に形成されているため、前記突起４ｅは前記突起４ｄの内側に入り込むようになっているが、両者は噛み合わされるようになっていても良い。
【００３０】
前記鋸歯状の突起４ｄ，４ｅは、前記挟持片４ｂ，４ｃの自由端側の傾斜が緩やかに形成されている一方、固定端側の傾斜が急に形成されている。したがって、前記挟持体４は、挟持部分に挟持対象の蛇を導き入れ易い一方、抜け難い構造となっている。前記鋸歯状の突起は第１の挟持片４ｂまたは第２の挟持片４ｃのいずれか一方にのみ設けられているだけでも良い。
【００３１】
前記第１の挟持片４ｂの背面（底面）４ｆは平坦状に形成されるとともに、前記柄部１に対して所定の交差角度θ１をなしている。交差角度θ１は前記柄部の長さ等によって作業者が扱いやすい角度に設定されるが、本実施形態では約４５度に設定されている。このように角度を設けることにより作業者は立ったままで前記挟持体４を地面にあてがい滑らかに前後摺動させることができる。
【００３２】
前記第１の挟持片４ｂの挟持部分の先端部（自由端側）には、傾斜部４ｇが形成されており、挟持対象物の下に挟持片４ｂを滑り込ませることにより、挟持対象物を前記挟持体４の挟持部分に導き入れやすいようになっている。
【００３３】
前記第２の挟持片４ｃの支持部には付勢部材４ａとしてのバネが配設されており、前記第１の挟持片４ｂに対して前記第２の挟持片４ｃを押し当てるように付勢している。すなわち、前記挟持体４が常時閉鎖方向に付勢されるようになっている。
【００３４】
また、前記第２の挟持片４ｃには前記ワイヤー３が連結されており、前記ワイヤー３を引っ張ることにより前記第１の挟持片４ｂから前記第２の挟持片４ｃを引き離すように構成されている。すなわち、前記挟持体４が前記操作杆２の握持操作（矢印Ｕ方向の操作）によりバネ４ａの付勢力に抗して開放される（矢印Ｗ）。
【００３５】
前記挟持体４の後方には、透明板５ａ，５ｂで形成される保護楯５が設けられている。前記保護楯５は前記柄部１に支持部５ｄで揺動自在に支持されており、前記支持部５ｄに配設されたバネ（不図示）に付勢されて、図１に実線で示されるように前記握部１ａと前記挟持体４を仕切るように起立した状態で保持されている。また、前記保護楯５は、前記柄部１側に押すことにより前記柄部１に沿うように倒伏させることができ、前記柄部１に設けられた係止部５ｅにより図１に一点鎖線で示されるように倒伏状態に保持できるようになっている。
【００３６】
前記保護楯５は、前記挟持体４に対向する面、すなわち蛇に対向する面に多数の有底小孔５ｄが形成されている。この有底小孔５ｄを簡単に形成するために、前記保護楯５は多数の小孔５ｅが穿設されている透明板５ａと孔を有しない透明板５ｂが重ね合わされて、その周囲を縁取材５ｃで一体的に固定されることにより形成される。
【００３７】
次に、上記実施形態に係る蛇捕獲具の使用方法を説明する。地面上を這う蛇を発見したときには、前記保護楯５を起立させた状態で、握部１ａを把持して前記第１の挟持片の前記底面４ｆを地面に沿って摺動させながら、前記挟持体４を蛇に接近させる。このとき前記操作杆２の前記レバー部２ｃを握持操作することにより前記挟持体４を開放させておき、タイミングを見計らって、前記第１の挟持片４ｂを蛇と地面の間に滑り込ませるように挿入する。蛇が狭いところに逃げ込みそうな場合には、別途に準備した棒などで押さえ込むようにして予め蛇の動きを止めておけば、より確実に捕獲することができる。蛇が毒をもっている可能性がある場合は、毒液を吐きかけられないように前記保護楯５を通して蛇を目視するようにすると良い。
【００３８】
前記第１の挟持片４ｂの先端部には、傾斜部４ｇが付けられているため、蛇の体は前記第１の挟持片４ｂの上に乗り上げて、前記挟持体４の挟持部分に容易に導き入れられる。ここで、操作杆２を握持する掌の力を緩めることにより前記挟持体４が付勢部材４ａの付勢力により閉鎖されて、蛇を捕獲することができる。前記挟持体４は常時閉鎖方向に付勢されており、かつ前記鋸歯状の突起４ｄ，４ｅを有するので、蛇が容易にすり抜けてしまうことはない。
【００３９】
捕獲しようとした蛇が作業者の方に向かってきたときは、前記保護楯５で受けるようにすれば、前記有底小孔５ｄに尖った蛇の頭部が引っ掛って、蛇の動きを一時的に封じることができる。
【００４０】
本実施形態では、保護楯５を設けたが、作業者が保護具を装着する等で毒液や噛み付きへの対策を講じている場合には必ずしも設けなくても良い。また、前記保護楯５は扇形状に形成されていたが、他の形状のものを採用しても良い。さらに、前記保護楯５は前記柄部１に沿うように倒伏可能な構造としたが、取り外し可能な構造としても良い。
【００４１】
本実施形態では、挟持片４ｂ，４ｃ，１４ｂ，１４ｃとして直線状に延びるアーム部材を採用したが、これに限らず蛇の大きさ、蛇を挟持する向きあるいは作業スペース等の状況に合わせて他の形状のものを採用しても良い。ただし、すべての状況に応じて挟持片の形状が異なる蛇捕獲具を準備することは難しいため、標準装着されている挟持片に装着されて挟持片の一部をなすアタッチメントにより挟持片の形状を適宜変更できるようにしても良い。
【００４２】
図７は、第１の挟持片４ｂの先端部に対して幅方向に延びるように装着されるアタッチメント６ｂを示したものである。前記アタッチメント６ｂは、断面コの字形アーム部材の両側壁６ｉに鋸歯状の突起６ｄが形成されたものであり、その中途部に切欠き６ｆが設けられている。前記切欠き６ｆに挟持片４ｂを係合させてネジで固定することにより上面視Ｔ字形の挟持片が形成される。
【００４３】
アタッチメント６ｂを取り付けることにより、蛇が作業者に対して縦方向に横たわっている場合や、蛇が横方向に逃げた場合への対応がし易くなる。なお、アタッチメント６ｂの両端部には傾斜部６ｇが設けられているので、蛇捕獲具を横方向に動かすことで蛇をすくい上げるように挟持片の間に導き入れることができる。
【００４４】
なお、図示されていないが、第１の挟持片４ｂの上面側に対向する第２の挟持片４ｃの先端にもアタッチメント６ｂと上下対称に形成されるアタッチメント６ｃが装着されており、両アタッチメントにより上面視でＴ字形の挟持体が構成される。
【００４５】
次に、他の実施形態について説明する。図５は他の実施形態に係る蛇捕獲具２０の全体を示す図であり、図６は前記蛇捕獲具２０の挟持体１４の断面図（図５のＤ−Ｄ断面図）である。
【００４６】
蛇捕獲具２０の柄部１１の一端（上端）には握部１１ａが形成され、前記握部１ａには、支持部１２ｂに対して揺動可能に支持されるレバー部１２ｃを有する前記操作杆２が付設されている。前記レバー部１２ｃは掌で握持操作されて連結されるワイヤー１３を引っ張る。
【００４７】
前記挟持体１４は、前記柄部１１の他端（下端）に支持される第１の挟持片１４ｂと、前記第１の挟持片１４ｂの上面に対向するように、かつ前記第１の挟持片１４ｂに対して上下に揺動自在となるように固定される第２の挟持片１４ｃとで形成される。図６に示されるように、前記第１の挟持片１４ｂは断面コの字形、前記第２の挟持片１４ｃ断面Ｉ字形のアーム部材であって、両者が対向する部分にそれぞれ鋸歯状の突起１４ｄ，１４ｅを多数有して、前記挟持体１４の挟持部分を形成する。
【００４８】
前記鋸歯状の突起１４ｄ，１４ｅは、前記挟持片１４ｂ，１４ｃの自由端側の傾斜は緩やかに、固定端側の傾斜は急に形成されている。したがって、前記挟持体１４は、挟持部分に挟持対象物を導き入れ易く、抜け難い構造となっている。前記鋸歯状の突起は挟持片１４ｂ，１４ｃのいずれか一方にのみ設けられているだけでも良い。
【００４９】
また、前記第１の挟持片１４ｂの挟持部分の先端部（自由端側）には、傾斜部１４ｇが形成され、挟持対象物を前記挟持体１４に導き入れやすくなっている。
【００５０】
前記第１の挟持片１４ｂの背面（底面）１４ｆは平坦状に形成され、地面等にあてがった状態で滑らかに摺動可能となっている。前記第２の挟持片１４ｃの支持部に配設される付勢部材１４ａにより前記第１の挟持片１４ｂに前記第２の挟持片１４ｃが押し当てられる。すなわち、前記挟持体４が常時閉鎖方向に付勢される。
【００５１】
前記柄部１１は前記第１の挟持片４ｂにピン１１ｂで回動自在に支持されており、前記第１の挟持片４ｂに連結されるブラケット１４ｋに長穴１４ｌを介して蝶ネジ１４ｍで固定されるようになっている。したがって、前記柄部１１に対する前記第１の挟持片１４ｂの底面に対する角度θ２は前記蝶ネジ１４ｍを緩めて、前記柄部１１を揺動させる（矢印Ｚ）ことにより調整可能である。
【００５２】
前記第２の挟持片１４ｃには前記ワイヤー３が連結されており、前記操作杆２の握持操作により前記挟持体４がバネ４ａの付勢力に抗して開放される。
【００５３】
前記挟持体１４の後方には倒伏可能な保護楯１５が設けられているが、前記保護楯５と同構造であり説明を省略する。なお、保護楯１５は倒伏可能な構造とする他に、取り外し可能な構造としても良く、また必ずしも設けなくても良い。
【００５４】
前記挟持体１４は、状況に応じて他の形状のものを採用したり、アタッチメントにより挟持片の形状を適宜変更できるようにしたりできることは先に記載した蛇捕獲具１０の場合と同様である。
【００５５】
この蛇捕獲具２０の使用方法は蛇捕獲具１０と基本的に同じであるが、こちらは地面の傾斜状況や自分の身長に合わせて、蛇を目視しやすく、あるいは捕まえやすい最適状態となるように前記柄部１１と挟持体１４の交差角度が調整可能である点が異なる。
【００５６】
尚、本発明の蛇捕獲具は、上記した実施の形態に限定されるものではなく、本発明の要旨を逸脱しない範囲内において種々変更を加え得ることは勿論である。
【００５７】
【発明の効果】
以上、説明したように本発明の請求項１〜６に記載の蛇捕獲具によれば、前記操作杆を握持する手の力を緩める等しても、蛇が逃げ出したりする心配がなく、挟持具を地面上に置いた状態で滑らせながら楽に、かつ蛇を刺激しないように蛇に近づけることができる。また、第１挟持片の先端部に傾斜部を形成したので、蛇と地面の間に第１挟持片を滑り込ませることにより、蛇を容易に挟持体の中に容易に導き入れることができるという優れた効果を奏し得る。
【図面の簡単な説明】
【図１】本発明の実施形態に係る蛇捕獲具１０の全体図である。
【図２】図１のＡ−Ａ断面図である。
【図３】図１（図５）のＢ視図である。
【図４】図３のＣ−Ｃ断面図である。
【図５】蛇捕獲具２０の全体図である。
【図６】図５のＤ−Ｄ断面図である。
【図７】挟持片に取り付けられるアタッチメントを示す図である。
【符号の説明】
１　　柄部
１ａ　　握部
２　　操作杆
３　　連結具（ワイヤー）
４　　挟持体
４ａ　　付勢部材（バネ）
４ｂ　　第１の挟持片
４ｃ　第２の挟持片
４ｄ，４ｅ　　突起
４ｇ　　傾斜部
５　　保護楯
５ａ，５ｂ　　透明板
５ｄ　　有底小孔
１０　　蛇捕獲具
１１　　　柄部
１１ａ　握部
１２　　操作杆
１３　　　連結具（ワイヤー）
１４　　　挟持体
１４ａ　付勢部材（バネ）
１４ｂ　第１の挟持片
１４ｃ　第２の挟持片
１４ｄ，１４ｅ　　突起
１４ｆ　背面（底面）
１４ｇ　傾斜部
１５　　　保護楯
２０　　　蛇捕獲具